(57)【要約】【課題】  人の耳からイヤホンが脱落するのを効果的に抑制し得る脱落防止具を提供する。【解決手段】  イヤホン本体20の音声放出頭部21に着脱自在に取付けられる外被ベース部２と、外被ベース部２から突出状に連設されると共に人の耳孔に挿入される挿入管部３と、挿入管部３の外周面に突出状に形成されると共に外被ベース部２側へ広がる弾性傘状の抜止遮音部５と、を有する。また、抜止遮音部５よりも先端側に於て挿入管部３の外周面に突出状に形成される先端誘導傘部６を有する。【選択図】  図１
2005268990.tif 000002
【特許請求の範囲】
【請求項１】
イヤホン本体（20）の音声放出頭部（21）に着脱自在に取付けられる外被ベース部（２）と、該外被ベース部（２）から突出状に連設されると共に人の耳孔に挿入される挿入管部（３）と、該挿入管部（３）の外周面に突出状に形成されると共に該外被ベース部（２）側へ広がる弾性傘状の抜止遮音部（５）と、を有することを特徴とする脱落防止具。
【請求項２】
イヤホン本体（20）の音声放出頭部（21）に着脱自在に取付けられる外被ベース部（２）と、該外被ベース部（２）から突出状に連設されると共に人の耳孔に挿入される挿入管部（３）と、該挿入管部（３）の外周面に突出状に形成されると共に該外被ベース部（２）側へ広がる弾性傘状の抜止遮音部（５）と、該抜止遮音部（５）よりも先端側に於て上記挿入管部（３）の外周面に突出状に形成される先端誘導傘部（６）と、を有することを特徴とする脱落防止具。
【請求項３】
上記外被ベース部（２）は、その内部に於て、上記音声放出頭部（21）の先端面（21ａ）が対向する内面位置と該先端面（21ａ）との間に、集音空間用小間隙（Ｇ）を形成するための放射状に延びる複数の規制リブ（７）を有している請求項１又は２記載の脱落防止具。
【請求項４】
上記外被ベース部（２）と上記挿入管部（３）と上記抜止遮音部（５）と上記先端誘導傘部（６）は、弾性材料により一体的に形成されている請求項１、２又は３記載の脱落防止具。
【発明の詳細な説明】
【技術分野】
【０００１】
本発明は、脱落防止具に係り、特に、イヤホンが人の耳から脱落するのを防止するための脱落防止具に関する。
【背景技術】
【０００２】
従来、人の耳の凹部により保持されるイヤホンでは、イヤホン本体の円盤状の音声放出頭部にスポンジ状のカバーを被せて摩擦力を増すことによって、耳からの脱落防止を図ったものが広く知られている。しかしながら、イヤホン本体の円盤状の音声放出頭部にスポンジ状のカバーをかぶせた従来のイヤホンでは、個人差がある耳の凹部の形状に十分対応することができず、わずかな外力で耳から容易にはずれてしまうという問題点がある。    そこで、従来、イヤホンが人の耳から脱落するのを防止するための種々の構造が提案されている（例えば、特許文献１参照）。
この特許文献１に開示されたイヤホンでは、人の耳の凹部に保持される円盤状の音声放出頭部を有するイヤホン本体と人の耳たぶの裏面に位置付け得る抑え部材とを備えている。そして、イヤホンが耳からはずれそうになったときに抑え部材が耳たぶの裏面に接触して脱落を防止する構造となっている。特許文献１では、抑え部材により、人の耳からイヤホンが完全に脱落するのを防止することができる。
【特許文献１】実開平７−３９１９５号公報
【発明の開示】
【発明が解決しようとする課題】
【０００３】
しかしながら、上記特許文献１に開示されたイヤホンの構造では、人の耳の凹部に保持される音声放出頭部の形状が従来のものと変わらないので、身体を横に傾けたり、少しの外力によって、容易に音声放出頭部が正規位置からずれてしまうという問題点があった。そのため、特許文献１に開示されたイヤホンでは、耳からの脱落防止機能が不完全である。
また、容易に音声放出頭部が正規位置からずれてしまうので、音声放出頭部が発する音以外の外部からの不必要な音が容易に耳に入り込むという問題点もある。
そこで、本発明は、人の耳からイヤホンが脱落するのを効果的に抑制し得る脱落防止具を提供することを目的とする。
【課題を解決するための手段】
【０００４】
上記の目的を達成するために、本発明に係る脱落防止具は、イヤホン本体の音声放出頭部に着脱自在に取付けられる外被ベース部と、該外被ベース部から突出状に連設されると共に人の耳孔に挿入される挿入管部と、該挿入管部の外周面に突出状に形成されると共に該外被ベース部側へ広がる弾性傘状の抜止遮音部と、を有するものである。
【０００５】
また、イヤホン本体の音声放出頭部に着脱自在に取付けられる外被ベース部と、該外被ベース部から突出状に連設されると共に人の耳孔に挿入される挿入管部と、該挿入管部の外周面に突出状に形成されると共に該外被ベース部側へ広がる弾性傘状の抜止遮音部と、該抜止遮音部よりも先端側に於て上記挿入管部の外周面に突出状に形成される先端誘導傘部と、を有するものである。
【０００６】
また、上記外被ベース部は、その内部に於て、上記音声放出頭部の先端面が対向する内面位置と該先端面との間に、集音空間用小間隙を形成するための放射状に延びる複数の規制リブを有している。
【０００７】
また、上記外被ベース部と上記挿入管部と上記抜止遮音部と上記先端誘導傘部は、弾性材料により一体的に形成されている。
【発明の効果】
【０００８】
本発明に係る脱落防止具によれば、人の耳により容易にイヤホンを取付けることができると共に、耳からイヤホンが脱落するのを防止することができる。
また、音声放出頭部が発する音以外の外部からの不必要な音が抜止遮音部と耳孔との間隙から耳孔の奥側へ侵入するのを防止することができる。また、静かな電車・エレベータ等に於て、周囲の人に音漏れによる迷惑をかけることもない。
【発明を実施するための最良の形態】
【０００９】
以下、実施の形態を示す図面に基づき、本発明を詳説する。
図１〜図６は、本発明の一実施形態に係る脱落防止具の構造の説明図である。なお、本発明の一実施形態に係る脱落防止具は、形状が軸対称であり、図１は、正面図を表すが、側面図、背面図に於ても図１と同様の形状が現れる（図示省略）。
【００１０】
本発明の一実施形態に係る脱落防止具１は、図１に示すように、既製のイヤホン本体20の円盤状の音声放出頭部21に着脱自在に取付けられるものである。そして、脱落防止具１とイヤホン本体20との接続により、脱落防止機能が付加されたイヤホンを形成するものである。
脱落防止具１は、図１及び図２に示すように、外被ベース部２と、孔部４を有する挿入管部３と、抜止遮音部５と、先端誘導傘部６と、を有する。
外被ベース部２と挿入管部３と抜止遮音部５と先端誘導傘部６は、例えばシリコンゴム等の弾性材料により一体的に形成されている。
外被ベース部２は、図２〜図６に示すように、円状に開口した開口部８を有する円盤状に形成されている。外被ベース部２は、被膜状となっており、その内面２ａによりイヤホン本体20の音声放出頭部21を被覆する。これにより、イヤホン本体20と脱落防止具１が接続される。
【００１１】
ここで、外被ベース部２は、図１、図４及び図５に示すように、イヤホン本体20と脱落防止具１との接続時に、その内面２ａ側に於て、音声放出頭部21の先端面21ａが対向する内面位置と先端面21ａとの間に、集音空間用小間隙Ｇを形成するための４個の規制リブ７…を有している。集音空間用小間隙Ｇは、図５及び図６に示すように、音声放出頭部21の先端面21ａ上に空間を形成することにより、先端面21ａから発せられる音を無駄なく集音するためのものである。つまり、先端面21ａから発せられる音を挿入管部３の先端まで効率よく伝達するためのものである。
【００１２】
４個の規制リブ７…は、挿入管部３の孔部４を基準として放射状に延びるように形成されている。
この放射状に延びる規制リブ７…に於て、半径方向外方側の端部は、対向する音声放出頭部21の円状の先端面21ａの外周縁近傍に対応する位置（図５中の矢印Ｃの位置）まで延びている。これにより、音声放出頭部21の先端面21ａ上の全域に渡って規制リブ７…が働いて、集音空間用小間隙Ｇが形成される。
なお、規制リブ７…は、４個に限るものではなく、４個以上設けるも好ましい。また、規制リブ７…は、放射状に延びるように形成したものに限るのではなく、他の形状とするも自由である。例えば、孔部４を基準として渦巻き状とするも好ましい。
【００１３】
挿入管部３は、図２及び図５に示すように、人の耳孔に挿入される部分であり、外被ベース部２から突出状に連設されている。また、挿入管部３が有する孔部４は、外被ベース部２の内面２ａに通じている。この孔部４により、イヤホン本体20の音声放出頭部21が発する音は、挿入管部３の先端まで伝達される。
挿入管部３は、基端部側の円筒状の第１挿入管部３ａと先端部側の円筒状の第２挿入管部３ｂとから成る。第１挿入管部３ａと第２挿入管部３ｂは、同軸状となっている。
第２挿入管部３ｂの外径Ｄ2 は、第１挿入管部３ａの外径Ｄ4 よりも小さく形成されている。挿入管部３の先端部側の径を基端部側より小さく形成することにより、挿入管部３の先端部側をより容易に変形させることができる。これにより、挿入管部３を人の耳孔に挿入する際に、よりスムーズな挿入が可能となる。
第２挿入管部３ｂの外径Ｄ2 は、例えば 3.5mm〜 5.5mmの大きさに形成されるのが好ましい。また、第１挿入管部３ａの外径Ｄ4 は、例えば６mm〜７mmの大きさに形成されるのが好ましい。  
なお、挿入管部３は、外径の異なる第１挿入管部３ａと第２挿入管部３ｂとにより形成されたものに限るのではなく、別の形状とするも好ましい。例えば、テーパ筒状とするも好ましい。
【００１４】
ここで、抜止遮音部５は、挿入管部３の外周面に突出状に形成されている。より詳しくは、抜止遮音部５は、第１挿入管部３ａの外周面に突出状に形成されると共に外被ベース部２側へ広がる弾性傘状となっている。
抜止遮音部５は、頂部から外周縁にかけて、側面視で挿入管部３の挿入側に凸の弧状に形成されている。また、抜止遮音部５は、挿入管部３の軸心を基準として半径方向に均等に広がるように形成されている。即ち、平面視では、抜止遮音部５の外周縁は円状となる（図３参照）。抜止遮音部５の外周縁径Ｄ3 は、大人の平均的な耳孔の内径よりも大きく形成されている。これにより、耳孔内に挿入された抜止遮音部５は、弾性変形し、その弾発力により、耳孔の内面を押圧するように構成される。抜止遮音部５の外周縁径Ｄ3 は、例えば、９mm〜13mmの大きさに形成されるのが好ましい。ここで、Ｄ3 ＜９mmの場合には、耳孔の内面を押圧する抜止遮音部５の弾発力が不十分となって、抜止遮音部５の効果が不十分なものとなる。また、Ｄ3 ＞13mmの場合には、耳孔の内面を押圧する抜止遮音部５の弾発力が非常に大きくなって、耳孔を傷つける虞れがある。
【００１５】
また、抜止遮音部５の厚みｔ1 （図５参照）は、 0.2mm〜 0.8mmの厚みに形成するのが好ましい。ｔ1 ＜ 0.2mmの場合には、耳孔の内面を押圧する抜止遮音部５の弾発力が不十分となって、抜止遮音部５の効果が不十分なものとなる。また、ｔ1 ＞ 0.8mmの場合には、耳孔の内面を押圧する抜止遮音部５の弾発力が非常に大きくなって、耳孔を傷つける虞れがある。
なお、抜止遮音部５は、１個のみならず、挿入管部３に複数設けるも好ましい。この場合、抜止遮音部５を設けることによる効果をより増大させることができる。
【００１６】
先端誘導傘部６は、脱落防止具１の挿入管部３を人の耳孔に挿入する際に、挿入管部３の先端部を耳孔内に誘導するためのものである。先端誘導傘部６は、抜止遮音部５よりも先端側に、挿入管部３の外周面に突出状に形成されている。より詳しくは、先端誘導傘部６は、第２挿入管部３ｂの先端外周面に突出状に形成されると共に外被ベース部２側へ広がる弾性傘状となっている。
また、先端誘導傘部６は、頂部から外周縁にかけて、側面視で挿入管部３の挿入側に凸の弧状に形成されている。また、先端誘導傘部６は、挿入管部３の軸心を基準として半径方向に均等に広がるように形成されている。即ち、平面視では、先端誘導傘部６の外周縁は円状となる（図３参照）。先端誘導傘部６の外周縁径Ｄ1 は、大人の平均的な耳孔の内径と略同一又はそれよりも小さく形成されている。先端誘導傘部６の外周縁径Ｄ1 は、例えば、 7.5mm〜 9.5mmの大きさに形成されるのが好ましい。ここで、Ｄ1 ＜ 7.5mmの場合には、先端誘導傘部６と耳孔との間隙が大きなものとなるので、挿入管部３の手探りによる位置決めが不正確なものとなる。また、Ｄ1 ＞ 9.5mmの場合には、耳孔の内面に先端誘導傘部６の外周縁が常に当接し、挿入管部３の耳孔内へのスムーズな誘導が困難となる。
【００１７】
また、先端誘導傘部６の外周縁径Ｄ1 は、抜止遮音部５の外周縁径Ｄ3 よりも小さく形成されている。例えば、先端誘導傘部６の外周縁径Ｄ1 は、抜止遮音部５の外周縁径Ｄ3 の45％〜90％に形成されるのが好ましい。
また、先端誘導傘部６の厚みｔ2 （図５参照）は、 0.2mm〜 0.8mmの厚みに形成するのが好ましい。ｔ2 ＜ 0.2mmの場合には、小さい外力にて先端誘導傘部６が大きく変形するので、挿入管部３の手探りによる位置決めが不正確なものとなる。また、ｔ2 ＞ 0.8mmの場合には、先端誘導傘部６が変形しにくくなるので、挿入管部３の先端部を手探りにより耳孔に挿入する際に、人に不快感を与える。
【００１８】
図７及び図８は、上述した構造の脱落防止具１をイヤホン本体20に取付けることによって形成されたイヤホンを人の耳に装着する際の説明図である。
脱落防止具１の挿入管部３を人の耳孔Ｈに挿入する際には、まず、図７に示すように、挿入管部３（第２挿入管部３ｂ）の先端誘導傘部６を手探りにより人の耳孔Ｈに挿入する。
そして、手探りにより、先端誘導傘部６が耳孔Ｈに挿入されたのを確認した後、図８に示すように、挿入管部３をさらに耳孔Ｈの内部側へ押し込む。この際、先端誘導傘部６は、直線状ではない人の耳孔Ｈの道筋に沿って進むが、それと同時に挿入管部３が全体的に弯曲して耳孔Ｈの形状に適合する。
【００１９】
また、挿入管部３が耳孔Ｈの奥側へ押し込まれるのに伴って、抜止遮音部５も耳孔Ｈ内に挿入される。耳孔Ｈ内に挿入された抜止遮音部５は、弾性変形し、その弾発力により、耳孔Ｈの内面を押圧する。
そして、挿入管部３が基端部（正規位置）まで挿入され、抜止遮音部５が人の耳孔Ｈの内面に密着した状態で装着完了となる。
【００２０】
以上のように、本発明に係る脱落防止具は、イヤホン本体20の音声放出頭部21に着脱自在に取付けられる外被ベース部２と、外被ベース部２から突出状に連設されると共に人の耳孔Ｈに挿入される挿入管部３と、挿入管部３の外周面に突出状に形成されると共に外被ベース部２側へ広がる弾性傘状の抜止遮音部５と、を有するので、使用時に、抜止遮音部５を弾性変形させて、その弾発力により抜止遮音部５を耳孔Ｈの内面に密着させることができる。これにより、使用時にイヤホンを耳から引き離そうとする外力が働いた場合、抜止遮音部５と耳孔Ｈの内面との間に生じる摩擦力によって、耳からイヤホンが脱落するのを防止することができる。
【００２１】
また、耳孔Ｈの内面に抜止遮音部５を密着させることができるので、音声放出頭部21が発する音以外の外部からの音が抜止遮音部５と耳孔Ｈとの間隙から耳孔Ｈの奥側へ侵入するのを防止することができる。また、音声放出頭部21の発する音が耳孔Ｈ内部（イヤホン）から外部に漏れないようにすることができるので、静かな電車・エレベータ等に於て、周囲の人に迷惑をかけることもない。
また、抜止遮音部５を外被ベース部２側へ広がる弾性傘状とすることによって、使用時にイヤホンを耳から引き離そうとする外力が働いた場合、抜止遮音部５の外周縁が耳孔Ｈの内面に容易に引っ掛かるようにすることができる。これにより、耳からイヤホンが脱落するのを防止することができる。
【００２２】
また、抜止遮音部５を、外被ベース部２側へ広がる弾性傘状とすることによって、人の耳孔Ｈに脱落防止具１の挿入管部３を挿入するときに、耳孔Ｈを傷つけることなく、挿入管部３を人の耳孔Ｈに容易に挿入することができる。
また、抜止遮音部５を弾性傘状とすることによって、容易に抜止遮音部５の外周縁径Ｄ3 を変化させることができる。これにより、個人差がある種々の耳孔Ｈの径の大きさ・形状にも対応することができる。
【００２３】
また、抜止遮音部５よりも先端側に於ける挿入管部３の外周面に、先端誘導傘部６を挿入管部３の外周面から突出状に形成することによって、人の耳孔Ｈに挿入管部３を挿入するときに先端誘導傘部６により、挿入管部３を容易に耳孔Ｈ内へ誘導することができる。これにより、人の耳により容易にイヤホンを取付けることができる。
【００２４】
また、外被ベース部２の内部に於ける、音声放出頭部21の先端面21ａが対向する内面位置と先端面21ａとの間に、集音空間用小間隙Ｇを形成するための放射状に延びる複数の規制リブ７…を設けることによって、外被ベース部２と音声放出頭部21が対向する方向に力が加わっても、集音空間用小間隙Ｇが潰されることがないようにすることができる。これにより、規制リブ７…が無い場合と比較して、外被ベース部２と音声放出頭部21が対向する方向に力が加わって集音空間用小間隙Ｇが潰されることによる集音能力の低下を抑制することができる。つまり、音声放出頭部21の先端面21ａから発せられる音を挿入管部３の先端まで効率よく伝達するすることができる。
【００２５】
また、外被ベース部２と挿入管部３と抜止遮音部５と先端誘導傘部６を、弾性材料により一体的に形成することによって、部品点数を削減することができる。これにより、部品コスト及び製造コストを削減することができる。また、外被ベース部２と挿入管部３とを弾性材料により一体的に形成することによって、抜止遮音部５及び先端誘導傘部６に加えて、挿入管部３も弾性変形させることができる。これにより、直線状ではない人の耳孔Ｈの形状に挿入管部３の形状を適合させることができる。その結果、人の耳孔Ｈに脱落防止具１の挿入管部３を挿入するときに、耳孔Ｈを傷つけることなく、挿入管部３を人の耳孔Ｈに容易に挿入することができる。
【図面の簡単な説明】
【００２６】
【図１】イヤホン本体と本発明の一実施形態を示す脱落防止具とを示す説明用一部破断側面図である。
【図２】本発明の一実施形態を示す脱落防止具の正面図である。
【図３】平面図である。
【図４】底面図である。
【図５】図４のＡ−Ａ線断面側面図である。
【図６】図４のＢ−Ｂ線断面側面図である。
【図７】本発明の一実施形態を示す脱落防止具が取付けられたイヤホンを人の耳に装着する際の説明図である。
【図８】脱落防止具が取付けられたイヤホンを人の耳に装着した使用状態を示した説明図である。
【符号の説明】
【００２７】
２  外被ベース部
３  挿入管部
５  抜止遮音部
６  先端誘導傘部
７  規制リブ
20  イヤホン本体
21  音声放出頭部
21ａ  先端面
【図１】
2005268990.tif 000003
【図２】
2005268990.tif 000004
【図３】
2005268990.tif 000005
【図４】
2005268990.tif 000006
【図５】
2005268990.tif 000007
【図６】
2005268990.tif 000008
【図７】
2005268990.tif 000009
【図８】
2005268990.tif 000010